(57)【要約】      （修正有） 【課題】省エネかつ安全なスマートコンセント装置を提供する。【解決手段】省エネかつ安全なスマートコンセント装置１は、少なくとも１つの差込口素子１０と、負荷検出素子１１と、電源制御素子１２とを備える。少なくとも１つの差込口素子は外部電気装置２に着脱自在に接続され、負荷検出素子は少なくとも１つの差込口素子に電気的に接続され、電源制御素子は少なくとも１つの差込口素子及び負荷検出素子に電気的に接続され、且つ外部電源３からの電気エネルギーを受け取ることができる。電源制御素子が少なくとも１つの差込口素子を介して電気エネルギーを外部電気装置へ供給すると共に、負荷検出素子は外部電気装置の負荷電流量２０が所定時間間隔において継続的に所定電流量より少ないことを検出した場合、負荷検出素子はオフ信号を生成して、電源制御素子はオフ信号に基づいて外部電気装置への電気エネルギーの供給を停止する。【選択図】図１
0003211529.tif 000002
【実用新案登録請求の範囲】
【請求項１】
少なくとも１つの差込口素子と、負荷検出素子と、電源制御素子と、
を備える省エネかつ安全なスマートコンセント装置であって、
前記少なくとも１つの差込口素子は、外部電気装置に着脱自在に接続され、
前記負荷検出素子は、前記少なくとも１つの差込口素子に電気的に接続され、
前記電源制御素子は、前記少なくとも１つの差込口素子及び前記負荷検出素子に電気的に接続され、外部電源からの電気エネルギーを受け取り、
前記電源制御素子が前記少なくとも１つの差込口素子を介して前記電気エネルギーを前記外部電気装置へ供給すると共に、前記負荷検出素子は、前記外部電気装置の負荷電流量が所定時間間隔において継続的に所定電流量より少ないことを検出した場合、前記負荷検出素子はオフ信号を生成して、前記電源制御素子は前記オフ信号に基づいて前記外部電気装置への前記電気エネルギーの供給を停止することを特徴とする、省エネかつ安全なスマートコンセント装置。
【請求項２】
前記負荷検出素子は、スタンバイ設定とリセット部と、電流検出部とを備え、
前記電流検出部は、前記少なくとも１つの差込口素子と、前記スタンバイ設定とリセット部と、前記電源制御素子とに電気的に接続され、
前記スタンバイ設定とリセット部が操作され、且つ前記外部電気装置がスタンバイ状態である場合、前記電流検出部は前記外部電気装置のスタンバイ電流量を検出することにより、前記所定電流量を生成することを特徴とする、請求項１に記載の省エネかつ安全なスマートコンセント装置。
【請求項３】
前記少なくとも１つの差込口素子及び前記電源制御素子と電気的に接続される回路検出素子をさらに備え、
前記回路検出素子が前記少なくとも１つの差込口素子を介して前記外部電気装置の負荷回路を検出する場合、前記回路検出素子は電力供給信号を生成することにより、前記電源制御素子は前記電気エネルギーを前記外部電気装置へ供給することを特徴とする、請求項２に記載の省エネかつ安全なスマートコンセント装置。
【請求項４】
前記電源制御素子は、少なくとも１つのスタンバイ発光部と、電源制御部とを備え、
前記電源制御部は、前記少なくとも１つの差込口素子と、前記少なくとも１つのスタンバイ発光部と、前記電流検出部と、前記スタンバイ設定とリセット部とに電気的に接続され、且つ前記外部電源からの電気エネルギーを受け取り、前記電流検出部が前記所定電流量を生成する場合、前記電流検出部は前記電源制御部を駆動して、前記電源制御部が前記少なくとも１つのスタンバイ発光部を発光させるように制御し、
前記電源制御部が前記少なくとも１つの差込口素子を介して前記電気エネルギーを前記外部電気装置へ供給すると共に、前記電流検出部が前記外部電気装置の前記負荷電流量が所定時間間隔において継続的に前記所定電流量より少ないことを検出した場合、前記電流検出部は前記オフ信号を生成して、前記電源制御部は前記オフ信号に基づいて前記外部電気装置への前記電気エネルギーの供給を停止することを特徴とする、請求項３に記載の省エネかつ安全なスマートコンセント装置。
【請求項５】
前記電源制御素子は、前記電源制御部に電気的に接続される少なくとも１つの電源発光部をさらに備え、
前記電源制御素子は、前記電力供給信号に基づいて前記電気エネルギーを前記少なくとも１つの差込口素子へ供給して、前記少なくとも１つの電源発光部を発光させるように駆動することを特徴とする、請求項４に記載の省エネかつ安全なスマートコンセント装置。
【請求項６】
ケース構造であるコンセント本体をさらに備え、
前記コンセント本体の一面には、前記少なくとも１つの差込口素子と、前記スタンバイ設定とリセット部と、前記少なくとも１つのスタンバイ発光部と、前記少なくとも１つの電源発光部とが嵌設され、且つ前記回路検出素子と、前記電流検出部と、前記電源制御部とが前記コンセント本体に位置されることを特徴とする、請求項５に記載の省エネかつ安全なスマートコンセント装置。
【請求項７】
無線受信素子と、メモリ処理素子とをさらに備え、
前記メモリ処理素子は、前記無線受信素子と、前記電源制御素子とに電気的に接続され、
前記電源制御素子は、メモリ設定部と、少なくとも１つの電源発光部と、電源制御部とを備え、
前記電源制御部は、前記無線受信素子と、前記メモリ処理素子と、前記メモリ設定部と、前記少なくとも１つの電源発光部とに電気的に接続され、前記外部電源からの電気エネルギーを受け取り、前記メモリ設定部が操作され、且つ前記無線受信素子が少なくとも１つの無線信号を受信する場合、前記電源制御部は前記電気エネルギーを前記少なくとも１つの差込口素子へ供給して、前記少なくとも１つの電源発光部を発光させるように駆動すると共に、前記メモリ処理素子は前記少なくとも１つの無線信号に基づいてオン信号を生成することを特徴とする、請求項２に記載の省エネかつ安全なスマートコンセント装置。
【請求項８】
前記省エネかつ安全なスマートコンセント装置が電力供給停止状態である場合、前記無線受信素子は、前記少なくとも１つの無線信号を受信し、且つ前記電源制御部は、前記少なくとも１つの無線信号が前記オン信号と一致すると判断した場合、前記電源制御部は前記電気エネルギーを前記外部電気装置へ供給することを特徴とする、請求項７に記載の省エネかつ安全なスマートコンセント装置。
【請求項９】
前記電源制御素子は、少なくとも１つのスタンバイ発光部をさらに備え、
前記電源制御部は前記スタンバイ設定とリセット部が押す時間間隔に継続的に操作されると判断した場合、前記電源制御部は、前記少なくとも１つのスタンバイ発光部を発光させるように制御することを特徴とする、請求項７に記載の省エネかつ安全なスマートコンセント装置。
【請求項１０】
ケース構造であるコンセント本体をさらに備え、
前記コンセント本体の一面には、前記少なくとも１つの差込口素子と、前記スタンバイ設定とリセット部と、前記少なくとも１つのスタンバイ発光部と、前記無線受信素子と、前記メモリ設定部と、前記少なくとも１つの電源発光部とが嵌設され、且つ前記電流検出部と、前記メモリ処理素子と、前記電源制御部とが前記コンセント本体に位置されることを特徴とする、請求項９に記載の省エネかつ安全なスマートコンセント装置。
【請求項１１】
前記負荷検出素子は、スタンバイ設定とリセット部と、音声警報部と、電流検出部とを備え、
前記電流検出部は、前記少なくとも１つの差込口素子と、前記スタンバイ設定とリセット部と、前記音声警報部と、前記電源制御素子とに電気的に接続され、
前記電流検出部が検出した電流が差込口の定格容量を超える、またはすべての差込口の合計電流が電源線の定格容量を超えると判断した場合、前記少なくとも１つの差込口素子の電源を自動的に切断すると共に、前記音声警報部による警報音及び少なくとも１つのスタンバイ発光部による光源点滅を警報として出力し、その警報は前記スタンバイ設定とリセット部を操作することで解除されることを特徴とする、請求項１に記載の省エネかつ安全なスマートコンセント装置。
【考案の詳細な説明】
【技術分野】
【０００１】
本考案は、コンセント装置に関し、特に、電気エネルギー節約及び安全保護の機能を有する省エネかつ安全なスマートコンセント装置に関するものである。
【背景技術】
【０００２】
電源コンセントとは、主に電気製品を作動させるための電力を提供するように、電気製品のプラグが差し込まれるものである。使用者が電気製品を使用していない場合は、安全のために電気製品の電源を切断する、或いはプラグを電源コンセントから抜くことが一般的である。
【０００３】
また、多くの家庭電気製品はスタンバイ状態でも一部の電力を消費してしまう、且つ漏電の恐れがあるので、エネルギーとお金の無駄になるし、電気使用の安全への懸念となる。これにより、多くの使用者は、電気製品を使用していない場合にプラグを電源コンセントから外すことを選ぶ。しかし、プラグの差し抜きを頻繁に繰り返すと、プラグが損傷しやすくなるとともに、使用上の面倒さが増すことになる。
【０００４】
上記従来の問題点に鑑みて、本考案の考案者等は、従来技術の欠点を解消して、産業上の利用を促進するために、鋭意研究を行った末、省エネかつ安全なスマートコンセント装置を創出した。
【考案の概要】
【考案が解決しようとする課題】
【０００５】
上記従来の問題点に鑑みて、本考案は、従来技術の欠点を解消するように、省エネかつ安全なスマートコンセント装置を提供を目的とする。
【課題を解決するための手段】
【０００６】
本考案の目的によって、少なくとも１つの差込口素子と、負荷検出素子と、電源制御素子とを備える省エネかつ安全なスマートコンセント装置を提供する。少なくとも１つの差込口素子は、外部電気装置に着脱自在に接続される。負荷検出素子は、少なくとも１つの差込口素子に電気的に接続される。電源制御素子は、少なくとも１つの差込口素子及び負荷検出素子に電気的に接続され、外部電源からの電気エネルギーを受け取る。電源制御素子が少なくとも１つの差込口素子を介して電気エネルギーを外部電気装置へ供給すると共に、負荷検出素子は外部電気装置の負荷電流量が所定時間間隔において継続的に所定電流量より少ないことを検出した場合、負荷検出素子はオフ信号を生成して、電源制御素子はオフ信号に基づいて外部電気装置への電気エネルギーの供給を停止する。
【０００７】
より好ましくは、負荷検出素子は、スタンバイ設定とリセット部と、電流検出部とを備えることができる。電流検出部は、少なくとも１つの差込口素子と、スタンバイ設定とリセット部と、電源制御素子とに電気的に接続される。スタンバイ設定とリセット部が操作され、且つ外部電気装置がスタンバイ状態である場合、電流検出部は外部電気装置のスタンバイ電流量を検出することにより、所定電流量を生成する。
【０００８】
より好ましくは、省エネかつ安全なスマートコンセント装置は、少なくとも１つの差込口素子及び電源制御素子と電気的に接続され、コンセント本体に位置される回路検出素子をさらに備えることができる。回路検出素子が少なくとも１つの差込口素子を介して外部電気装置の負荷回路を検出する場合、回路検出素子は電力供給信号を生成することにより、電源制御素子は電力供給信号に基づいて電気エネルギーを外部電気装置へ供給する。
【０００９】
より好ましくは、電源制御素子は、少なくとも１つのスタンバイ発光部と、電源制御部とを備える。電源制御部は、少なくとも１つの差込口素子と、少なくとも１つのスタンバイ発光部と、電流検出部と、スタンバイ設定とリセット部とに電気的に接続され、外部電源からの電気エネルギーを受け取ることができる。電流検出部が所定電流量を生成する場合、電流検出部は電源制御部を駆動して、電源制御部が少なくとも１つのスタンバイ発光部を発光させるように制御する。電源制御部が少なくとも１つの差込口素子を介して電気エネルギーを外部電気装置へ供給すると共に、電流検出部が外部電気装置の負荷電流量が所定時間間隔において継続的に所定電流量より少ないことを検出した場合、電流検出部はオフ信号を生成して、電源制御部はオフ信号に基づいて外部電気装置への電気エネルギーの供給を停止する。
【００１０】
より好ましくは、電源制御素子は、電源制御部に電気的に接続される少なくとも１つの電源発光部をさらに備える。電源制御素子は電力供給信号に基づいて電気エネルギーを少なくとも１つの差込口素子へ供給して、少なくとも１つの電源発光部を発光させるように駆動する。
【００１１】
より好ましくは、省エネかつ安全なスマートコンセント装置は、ケース構造であるコンセント本体をさらに備えることができる。コンセント本体の一面には少なくとも１つの差込口素子と、スタンバイ設定とリセット部と、少なくとも１つのスタンバイ発光部と、少なくとも１つの電源発光部とが嵌設され、且つ回路検出素子と、電流検出部と、電源制御部とがコンセント本体に位置される。
【００１２】
より好ましくは、省エネかつ安全なスマートコンセント装置は、無線受信素子と、メモリ処理素子とをさらに備えることができる。メモリ処理素子は、無線受信素子と、電源制御素子とに電気的に接続される。電源制御素子は、メモリ設定部と、少なくとも１つの電源発光部と、電源制御部とを備えることができる。電源制御部は、無線受信素子と、メモリ処理素子と、メモリ設定部と、少なくとも１つの電源発光部とに電気的に接続され、外部電源からの電気エネルギーを受け取ることができる。メモリ設定部が操作されて、無線受信素子が少なくとも１つの無線信号を受信する場合、電源制御部は電気エネルギーを少なくとも１つの差込口素子へ供給して、少なくとも１つの電源発光部を発光させるように駆動すると共に、メモリ処理素子は少なくとも１つの無線信号に基づいてオン信号を生成する。
【００１３】
より好ましくは、省エネかつ安全なスマートコンセント装置が電力供給停止状態である場合、無線受信素子は少なくとも１つの無線信号を受信し、且つ電源制御部は少なくとも１つの無線信号がオン信号と一致すると判断した場合、電源制御部は電気エネルギーを外部電気装置へ供給する。
【００１４】
より好ましくは、電源制御素子は、少なくとも１つのスタンバイ発光部をさらに備えることができる。電源制御部はスタンバイ設定とリセット部が押す時間間隔に継続的に操作されると判断した場合、電源制御部は少なくとも１つのスタンバイ発光部を発光させるように制御する。
【００１５】
より好ましくは、省エネかつ安全なスマートコンセント装置は、ケース構造であるコンセント本体をさらに備えることができる。コンセント本体の一面には、少なくとも１つの差込口素子と、スタンバイ設定とリセット部と、少なくとも１つのスタンバイ発光部と、無線受信素子と、メモリ設定部と、少なくとも１つの電源発光部とが嵌設され、且つ電流検出部と、音声警報部と、メモリ処理素子と、電源制御部とがコンセント本体に位置される。
【考案の効果】
【００１６】
上述説明したように、本考案に係る省エネかつ安全なスマートコンセント装置は負荷検出素子が設置され、負荷検出素子により外部電気装置がスタンバイ状態又は過負荷状態であるかどうかを検出することにより、コンセントの電源を適切に切断し、過負荷状態であれば、さらに音声警報部を作動させるので、電気エネルギーの節約及び安全の機能を実現することができる。
【図面の簡単な説明】
【００１７】
【図１】本考案に係る省エネかつ安全なスマートコンセント装置の第１実施例を示すブロック図である。
【図２】本考案に係る省エネかつ安全なスマートコンセント装置の第２実施例を示す概略図である。
【図３】本考案に係る省エネかつ安全なスマートコンセント装置の第２実施例を示すブロック図である。
【図４】本考案に係る省エネかつ安全なスマートコンセント装置の第３実施例を示す概略図である。
【図５】本考案に係る省エネかつ安全なスマートコンセント装置の第３実施例を示すブロック図である。
【考案を実施するための形態】
【００１８】
本考案をより完全に理解するために、本考案の技術特徴、内容と長所及びそれが達成できる作用効果について、添付図面を参照して、実施例の表現形式で以下のように詳細に説明する。但し、図示された図面は、単に例示または明細書内容を補助することを目的としたものであって、本考案の実施後の原寸に比例したものや精確に配置したものには何ら拘束されない。よって、図示された図面は、添付図面の比例と配置関係で解釈されてはならず、本考案を実際に実施する権利範囲に制限することを意図したものではないことについて先に説明しておきたい。
【００１９】
以下、本考案に係る省エネかつ安全なスマートコンセント装置の実施例について、添付図面を参照して説明する。なお、理解しやすいように、下記の各実施形態において、同一部品については、同一符号を付けて説明する。
【００２０】
図１を参照すると、それは本考案に係る省エネかつ安全なスマートコンセント装置の第１実施例を示すブロック図である。図面に示すように、省エネかつ安全なスマートコンセント装置１は、少なくとも１つの差込口素子１０と、負荷検出素子１１と、電源制御素子１２とを備える。少なくとも１つの差込口素子１０は外部電気装置２に着脱自在に接続される。負荷検出素子１１は少なくとも１つの差込口素子１０に電気的に接続される。電源制御素子１２は少なくとも１つの差込口素子１０及び負荷検出素子１１に電気的に接続され、外部電源３からの電気エネルギーを受け取る。電源制御素子１２が少なくとも１つの差込口素子１０を介して電気エネルギーを外部電気装置２へ供給すると共に、負荷検出素子１１が外部電気装置２の負荷電流量２０が所定時間間隔において継続的に所定電流量１１０より少ないことを検出した場合、負荷検出素子１１はオフ信号１１１を生成することにより、電源制御素子１２は外部電気装置２への電気エネルギーの供給を停止する。
【００２１】
具体的に、本考案に係る省エネかつ安全なスマートコンセント装置１は、さまざまな従来コンセントに応用することができる。省エネかつ安全なスマートコンセント装置１は、少なくとも１つの差込口素子１０と、負荷検出素子１１と、電源制御素子１２とを備える。差込口素子１０はコンセントの差込口である。電源制御素子１２は少なくとも１つの差込口素子１０と、負荷検出素子１１とに電気的に接続され、外部電源３（例えば、商用電源）からの電気エネルギーを受け取ることができる。電源制御素子１２がプラグを介して外部電源３を受け取ることは従来技術であるため、その説明を省略する。
【００２２】
従って、使用者が家電または電器（即ち、外部電気装置２）のプラグを少なくとも１つの差込口素子１０に挿設して、省エネかつ安全なスマートコンセント装置１により電力を家電または電器へ供給した後、使用者が家電または電器をオフにして、家電または電器がスタンバイ状態である場合、負荷検出素子１１は外部電気装置２の現在負荷電流量２０が所定電流量１１０より少ないことを検出する。さらに、負荷検出素子１１は負荷電流量２０が所定時間間隔（例えば、２０〜６０秒であるが、これらに限定されない）において継続的に所定電流量１１０より少ない場合、家電または電器がオフされてスタンバイ状態になると判断されることにより、負荷検出素子１１はオフ信号１１１を生成して電源制御素子１２に送信し、電源制御素子１２はオフ信号１１１に基づいて外部電気装置２への電気エネルギーの供給を停止する。
【００２３】
これにより、負荷検出素子１１により外部電気装置２がスタンバイ状態になるかどうかを検出することにより、コンセントの電源を適切に切断して、電気エネルギーの節約を実現することができる。
【００２４】
さらに、負荷検出素子１１は、スタンバイ設定とリセット部１１２と、電流検出部１１３とを備えることができる。電流検出部１１３は、少なくとも１つの差込口素子１０と、スタンバイ設定とリセット部１１２と、電源制御素子１２とに電気的に接続される。スタンバイ設定とリセット部１１２が操作又は調整・設定されると共に、外部電気装置２がスタンバイ状態である場合、電流検出部１１３は外部電気装置２のスタンバイ電流量２１を検出することにより、所定電流量１１０を生成する。
【００２５】
即ち、本考案における負荷検出素子１１は、スタンバイ設定とリセット部１１２と、電流検出部１１３とをさらに備えることができる。スタンバイ設定とリセット部１１２はスイッチ、ボタン又はノブ（ｋｎｏｂ）であってもよい。電流検出部１１３は、少なくとも１つの差込口素子１０と、スタンバイ設定とリセット部１１２と、電源制御素子１２とに電気的に接続されることができる。よって、使用者は上記機能を使用する前に設定を行うことができる、即ち、使用者は家電または電器のプラグを少なくとも１つの差込口素子１０に挿設した後、コンセントの電源をオンにして、省エネかつ安全なスマートコンセント装置１を作動させる。さらに、家電または電器がスタンバイ状態になるため、その時、使用者は押し又は回しなどの任意調整方式でスタンバイ設定とリセット部１１２を操作することにより、スタンバイ設定とリセット部１１２は、電流検出部１１３が家電または電器の現在スタンバイ電流量２１を検出するように駆動することにより、前記家電または電器に対応する所定電流量１１０を生成する。そして、使用者が上述した省エネかつ安全なスマートコンセント装置１の電力節約の機能を起動した場合、省エネかつ安全なスマートコンセント装置１は所定電流量１１０に基づいて家電または電器がスタンバイ状態になるかどうかを判断することができる。
【００２６】
図２及び図３を参照すると、それらは、それぞれ本考案に係る省エネかつ安全なスマートコンセント装置の第２実施例を示す概略図及びブロック図である。図面に示すように、本実施例における省エネかつ安全なスマートコンセント装置は、上述した第１実施例における省エネかつ安全なスマートコンセント装置の作動方法と類似するため、その説明を省略する。特筆すべきことは、本実施例では、省エネかつ安全なスマートコンセント装置１は、少なくとも１つの差込口素子１０及び電源制御素子１２と電気的に接続される回路検出素子１３をさらに備えることがより好ましい。回路検出素子１３が少なくとも１つの差込口素子１０を介して外部電気装置２の負荷回路を検出する場合、回路検出素子１３は電力供給信号１３０を生成することにより、電源制御素子１２は電力供給信号に基づいて電気エネルギーを外部電気装置２へ供給する。
【００２７】
例えば、本考案に係る省エネかつ安全なスマートコンセント装置１は、少なくとも１つの差込口素子１０及び電源制御素子１２と電気的に接続される回路検出素子１３をさらに備えるので、使用者が家電または電器のプラグを少なくとも１つの差込口素子１０に挿設して、家電または電器をオンにした後、家電または電器のサーキットが１つの回路になり、その時、回路検出素子１３は外部電気装置２の負荷回路を検出することにより、電力供給信号１３０を生成する。そして、電源制御素子１２は電力供給信号１３０に基づいて電気エネルギーを外部電気装置２へ供給して、自動的な電力供給の機能を実現することができる。本実施例における省エネかつ安全なスマートコンセント装置１は、リモートコントロールを有しない電気製品に適用することができる。
【００２８】
さらに、電源制御素子１２は、少なくとも１つのスタンバイ発光部１２０と、電源制御部１２１とを備えることができる。電源制御部１２１は、少なくとも１つの差込口素子１０と、少なくとも１つのスタンバイ発光部１２０と、電流検出部１１３と、スタンバイ設定とリセット部１１２とに電気的に接続され、外部電源３からの電気エネルギーを受け取ることができる。電流検出部１１３が所定電流量１１０を生成する場合、電流検出部１１３は電源制御部１２１を駆動して、電源制御部１２１が少なくとも１つのスタンバイ発光部１２０を発光させるように制御する。電源制御部１２１が少なくとも１つの差込口素子１０を介して電気エネルギーを外部電気装置２へ供給すると共に、電流検出部１１３が外部電気装置２の負荷電流量２０が所定時間間隔において継続的に所定電流量１１０より少ないことを検出した場合、電流検出部１１３はオフ信号１１１を生成して、電源制御部１２１はオフ信号１１１に基づいて外部電気装置２への電気エネルギーの供給を停止する。
【００２９】
即ち、本考案における電源制御素子１２は、少なくとも１つのスタンバイ発光部１２０と、電源制御部１２１とをさらに備えることができ、電源制御部１２１は、少なくとも１つの差込口素子１０と、少なくとも１つのスタンバイ発光部１２０と、電流検出部１１３と、スタンバイ設定とリセット部１１２とに電気的に接続される。よって、使用者がスタンバイ検出機能の設定を行う、即ち、家電または電器のプラグを少なくとも１つの差込口素子１０に挿設して、コンセントの電源をオンにすることにより、省エネかつ安全なスマートコンセント装置を作動させた後、使用者が負荷検出素子１１により所定電流量１１０の設定が完了した場合、電流検出部１１３は電源制御部１２１を駆動して、電源制御部１２１が少なくとも１つのスタンバイ発光部１２０を発光させるように制御することにより、使用者に設定完了であることを示す。そして、家電または電器がスタンバイ状態である場合、電流検出部１１３は家電または電器の現在電流量が所定時間間隔において継続的に所定電流量１１０より少ないかどうかを検出する。現在電流量が所定時間間隔において継続的に所定電流量１１０より少ない場合、電流検出部１１３はオフ信号１１１を生成して、電源制御部１２１はオフ信号１１１に基づいて外部電気装置２への電気エネルギーの供給を停止する。
【００３０】
さらに、電源制御素子１２は、電源制御部１２１に電気的に接続される少なくとも１つの電源発光部１２２を備えることができる。電源制御部１２１は、電力供給信号１３０に基づいて電気エネルギーを少なくとも１つの差込口素子１０へ供給し、少なくとも１つの電源発光部１２２を駆動して光源を発生することができる。即ち、本考案における電源制御素子１２は、ＬＥＤライトであり、電源制御部１２１に電気的に接続される少なくとも１つの電源発光部１２２をさらに備えることができる。よって、電源制御素子１２は、電力供給信号１３０に基づいて電気エネルギーを外部電気装置２へ供給すると共に、少なくとも１つの電源発光部１２２を駆動して光源を発生することにより、使用者に省エネかつ安全なスマートコンセント装置１の電力供給中を示すことができる。
【００３１】
さらに、省エネかつ安全なスマートコンセント装置１は、ケース構造であるコンセント本体１４をさらに備えることができる。コンセント本体１４の一面には、少なくとも１つの差込口素子１０と、スタンバイ設定とリセット部１１２と、少なくとも１つのスタンバイ発光部１２０と、少なくとも１つの電源発光部１２２とが嵌設され、且つ回路検出素子１３と、電流検出部１１３と、電源制御部１２１とがコンセント本体１４に位置される。即ち、本考案に係る省エネかつ安全なスマートコンセント装置１は、コンセント本体１４をさらに備えることができる。コンセント本体１４は、一般コンセントの型であってもよく、少なくとも１つの差込口素子１０と、スタンバイ設定とリセット部１１２と、少なくとも１つのスタンバイ発光部１２０と、少なくとも１つの電源発光部１２２とがコンセント本体１４の一面に嵌設され、コンセント本体１４の内部には、回路検出素子１３、電流検出部１１３及び電源制御部１２１などの検出回路及び制御回路の基板が設置される。
【００３２】
図４及び図５を参照すると、それらは、本考案に係る省エネかつ安全なスマートコンセント装置の第３実施例をそれぞれ示す概略図及びブロック図であり、図１〜図３を共に参照する。図面に示すように、本実施例における省エネかつ安全なスマートコンセント装置は、上述した各実施例における省エネかつ安全なスマートコンセント装置の作動方法と類似するため、その説明を省略する。特筆すべきことは、本実施例では、省エネかつ安全なスマートコンセント装置１は、無線受信素子１５と、メモリ処理素子１６とをさらに備えることができる。メモリ処理素子１６は、無線受信素子１５と、電源制御素子１２とに電気的に接続される。電源制御素子１２は、メモリ設定部１２３と、少なくとも１つの電源発光部１２２と、電源制御部１２１とを備えることができる。電源制御部１２１は、無線受信素子１５と、メモリ処理素子１６と、メモリ設定部１２３と、少なくとも１つの電源発光部１２２とに電気的に接続され、外部電源３からの電気エネルギーを受け取ることができる。メモリ設定部１２３が操作されて、無線受信素子１５が少なくとも１つの無線信号４を受信する場合、電源制御部１２１は少なくとも１つの無線信号４に基づいて電気エネルギーを少なくとも１つの差込口素子１０へ供給して、少なくとも１つの電源発光部１２２を発光させるように駆動すると共に、メモリ処理素子１６は少なくとも１つの無線信号４に基づいてオン信号１６０を生成する。
【００３３】
例えば、本考案に係る省エネかつ安全なスマートコンセント装置１は、無線受信素子１５と、メモリ処理素子１６とをさらに備え、電源制御素子１２は、メモリ設定部１２３と、少なくとも１つの電源発光部１２２と、電源制御部１２１とを備え、電源制御部１２１は、無線受信素子１５と、メモリ処理素子１６と、メモリ設定部１２３と、少なくとも１つの電源発光部１２２とに電気的に接続されることができる。よって、使用者が家電または電器のプラグを少なくとも１つの差込口素子１０に挿設した後、メモリ設定部１２３を操作して、家電または電器に対応する遠隔制御設備を選択することにより、無線信号４（例えば、赤外線）を送信する。さらに、無線受信素子１５は少なくとも１つの無線信号４を受信して、電源制御部１２１は上述した作動に基づいて電力を少なくとも１つの差込口素子１０へ供給する。その後、電源制御部１２１は、少なくとも１つの差込口素子１０への電力供給に基づいて少なくとも１つの電源発光部１２２を発光させるように駆動すると共に、メモリ処理素子１６は少なくとも１つの無線信号４に基づいて特定の家電または電器に対応するオン信号１６０を生成して記憶する、即ち、自動的な電力供給の遠隔制御の設定が完了する。
【００３４】
さらに、省エネかつ安全なスマートコンセント装置１が電力供給停止状態である場合、無線受信素子１５は少なくとも１つの無線信号４を受信して、電源制御部１２１は少なくとも１つの無線信号４がオン信号１６０と一致すると判断した場合、電源制御部１２１は電気エネルギーを外部電気装置２へ供給する。
【００３５】
即ち、使用者は自動的な電力供給の遠隔制御の設定が完了した後、省エネかつ安全なスマートコンセント装置１の自動的な電力供給の遠隔制御機能を使用すれば、省エネかつ安全なスマートコンセント装置１が電力供給停止状態である場合、使用者が家電または電器に対応する遠隔制御設備を押すことにより、無線信号４（例えば、赤外線）を送信する。そして、無線受信素子１５は、無線信号４を受信してメモリ処理素子１６に送信する。続いて、メモリ処理素子１６は無線信号４がオン信号１６０と一致すると判断した場合、電源制御部１２１を駆動して電力を供給することにより、外部電気装置２を作動させる。
【００３６】
特筆すべきことは、省エネかつ安全なスマートコンセント装置１は複数の差込口素子１０を備え、その差込口素子１０には複数の外部電気装置２が挿設される場合、上述した自動的な電力供給の設定により、メモリ処理素子１６は複数の各家電または電器に対応するオン信号１６０を記憶することができる。よって、その家電または電器中の１つの遠隔制御設備が無線信号４を送信する場合、メモリ処理素子１６は無線信号４を各オン信号１６０とそれぞれ比べることにより作動すべき差込口素子１０を判断して、その遠隔制御設備に対応する家電または電器を作動させることができる。
【００３７】
さらに、電源制御素子１２は、少なくとも１つのスタンバイ発光部１２０をさらに備えることができる。電源制御部１２１はスタンバイ設定とリセット部１１２が押す時間間隔に継続的に操作される場合、電源制御部１２１は少なくとも１つのスタンバイ発光部１２０を発光させるように制御する。よって、使用者がスタンバイ検出機能の設定を行う、即ち、使用者が家電または電器のプラグを少なくとも１つの差込口素子１０に挿設して、コンセントの電源をオンにすることにより、省エネかつ安全なスマートコンセント装置を作動させた後、使用者は押し又は回しなどの任意調整方式でスタンバイ設定とリセット部１１２を継続的に操作して、電源制御部１２１は少なくとも１つのスタンバイ発光部１２０を発光させるように制御することにより、使用者に設定完了であることを示す。
【００３８】
さらに、電源制御素子１２は、少なくとも１つのスタンバイ発光部１２０と、音声警報部１２４とをさらに備えることができる。省エネかつ安全なスマートコンセント装置１は電流検出部１１３から数値を読み取って、前記数値が前記差込口の定格容量を超える、またはすべての差込口の合計電流が電源線の定格容量を超えると判断した場合、電源制御部１２１は、前記差込口の電源切断、音声警報部１２４による警報音及び少なくとも１つのスタンバイ発光部１２０による光源点滅を制御することにより、使用者に差込口の過負荷を察知させて、そして使用者よりスタンバイ設定とリセット部１１２を操作して警報音及び光源点滅を解除するとともに、過負荷電器のプラグを引き抜くことで、過負荷の危険を回避することができる。
【００３９】
さらに、本考案の省エネかつ安全なスマートコンセント装置は、ケース構造であるコンセント本体１４をさらに備えることができる。コンセント本体１４の一面には、少なくとも１つの差込口素子１０と、スタンバイ設定とリセット部１１２と、少なくとも１つのスタンバイ発光部１２０と、無線受信素子１５と、メモリ設定部１２３と、少なくとも１つの電源発光部１２２とが嵌設され、且つ電流検出部１１３と、メモリ処理素子１６と、電源制御部１２１とがコンセント本体１４に位置される。即ち、本考案に係る省エネかつ安全なスマートコンセント装置１は、コンセント本体１４をさらに備え、そのコンセント本体１４は一般コンセントの型であってもよく、少なくとも１つの差込口素子１０と、スタンバイ設定とリセット部１１２と、少なくとも１つのスタンバイ発光部１２０と、無線受信素子１５と、メモリ設定部１２３と、少なくとも１つの電源発光部１２２とがコンセント本体１４の一面に嵌設され、コンセント本体１４の内部には、電流検出部１１３、メモリ処理素子１６及び電源制御部１２１等の検出回路及び制御回路の基板が設置される。
【００４０】
以上は実施態様の列挙であり、本考案になんらの制限を加わるものではない。そして、本考案の趣旨と範囲を逸脱しない限り、その同等な修正又は変更は、なお、本明細書実用新案登録請求の範囲に含まれるものとする。
【符号の説明】
【００４１】
１：省エネかつ安全なスマートコンセント装置
１０：差込口素子
１１：負荷検出素子
１１０：所定電流量
１１１：オフ信号
１１２：スタンバイ設定とリセット部
１１３：電流検出部
１２：電源制御素子
１２０：スタンバイ発光部
１２１：電源制御部
１２２：電源発光部
１２３：メモリ設定部
１２４：音声警報部
１３：回路検出素子
１３０：電力供給信号
１４：コンセント本体
１５：無線受信素子
１６：メモリ処理素子
１６０：オン信号
２：外部電気装置
２０：負荷電流量
２１：スタンバイ電流量
３：外部電源
４：無線信号
【図１】
0003211529.tif 000003
【図２】
0003211529.tif 000004
【図３】
0003211529.tif 000005
【図４】
0003211529.tif 000006
【図５】
0003211529.tif 000007